(57)【特許請求の範囲】
【請求項１】
一方側が開口した形状の端面略Ｃ字状が長手方向に連続する型材の綴じ具本体であって、その綴じ具本体の該開口部を挿入口部とすると共に該挿入口部に挿入誘導部を形成し、該略Ｃ字状の綴じ具本体の内側奥端に粘着力が回復する機能を有する粘着保持部を設けると共に該略Ｃ字状の内側左右にも左右端粘着保持部を設け、該左右端粘着保持部のそれぞれに保護表紙を粘着保持させたことを特徴とするファイリング用粘着綴じ具。
【請求項２】
略Ｃ字状の綴じ具本体の該挿入口部が、開閉可能なように該綴じ具本体を若干変形可能な硬質のプラスチックで形成すると共に少なくとも略Ｃ字状の略中央底部近傍に弾性変形する軟質部材のヒンジ部を形成した請求項１記載のファイリング用粘着綴じ具。
【請求項３】
略Ｃ字状の綴じ具本体のヒンジ部が、容易に開閉可能なように、該ヒンジ部左右端近傍の綴じ具本体の外側にそれぞれ突起部を形成した請求項１又は２記載のファイリング用粘着綴じ具。
【発明の詳細な説明】
【技術分野】
【０００１】  本発明は、書類、カタログ等の収納、差替えするために使用するファイリング用粘着綴じ具に関する。
【背景技術】
【０００２】  従来、書類、カタログ等の収納、差替えするファイリング用の綴じ具は、書類に穴を開けて綴じるもの以外で、金属製で複数枚の書類などを弾発力で複数枚挟み込んで綴じるもの、又はプラスチック製で開口する内側に書類などを差し込んで、保持片の弾発力で保持するファイリング用の綴じ具が一般市場に提供されている。【０００３】  而して、上記ファイリング用の綴じ具で粘着を利用する先行技術の先願例として、コの字形状のペーパーホルダー（１）の内側奥面に粘着テープ（２）を貼設させたとする実施例を示す「粘着式ペーパーホルダー」がある。（例えば、特許文献１参照）【０００４】  また、該ファイリング用の綴じ具で粘着を利用する先行技術の先願例として、表表紙（１）と背表紙（２）と裏表紙（３）がコの字形状で、それぞれの背表紙（２）の内側にフイルム状素材（５）を設けたその上に、剥離シート（６）を付帯する粘着面（７）を重ねたこととした実施例を示す「ファイリング用表紙」がある。（例えば、特許文献２参照）【０００５】  さらに、該ファイリング用の綴じ具で粘着を利用する先行技術の先願例として、ファイル本体の表表紙（１ａ）と裏表紙（１ｂ）の間を縦断する背表紙（２）の内面側に、帯状で粘着力を有する着脱自在シート（３）を固着させたとする実施例を示す「製本形式の簡易ファイル」がある。（例えば、特許文献３参照）
【先行技術文献】
【特許文献】
【０００６】
【特許文献１】実願平１１−４６２１号公報
【特許文献２】特願平７−１９６９１６号公報
【特許文献３】実願平１０−３８５２号公報
【発明の概要】
【発明が解決しようとする課題】
【０００７】  従来市販されるファイリング用の綴じ具は、簡便なものとしてステープラーに見られるように、金属針で綴じられるものが汎用で多く使用され、該ステープラーは、書類に金属針の穴が開くため使用できないものもあり、また上述した市販される金属製の弾発力で挟み込み綴じるもの、またプラスチック製で開口する綴じ具の保持片に挿入して弾発力で保持するものが販売されているが、構成が簡易なものでは無かったので、簡易に一覧するだけの資料など、数多く使用する場合には価格的に不向きで、簡易で安価なものが求められていた。【０００８】  また、その綴じられた書類を破棄、又は再使用するとき、該ステープラーを取り除く手間と、またその書類を再使用しようとするとき、穴開きのものは使用しづらく、さらにコピー機で裏コピー用紙として再使用するのにコピー機に引っ掛かったりして使用しづらかった。【０００９】  さらに、上記例示する従来の金属製またはプラスチック製の挟み込んで使用する構成のものは、簡便ではあるが、会議等その場限りで使用する社内配付資料として、一覧用に多くの部数を必要とするときなどには、価格的また容量的に不向きで、さらに簡便で安価なものが求められていた。【００１０】  而して、先行技術である特許文献１の「粘着式ペーパーホルダー」は、コの字形状のペーパーホルダー（１）の内側奥面に粘着テープ（２）を貼設させたとすることから、該コの字形状の幅の範囲内での書類枚数を一時保持するもので、また該コの字形状の幅内で使用するときは、書類が安定保持できるが、極端に少ない枚数では、該コの字形状の立ち上がりの部分とその書類の間隔が広くなり、書類が大きく振れることで外れやすく、その改善が求められていた。【００１１】  また、特許文献２の「ファイリング用表紙」は、表表紙（１）と背表紙（２）と裏表紙（３）がコの字形状で、該コの字形状の部分に粘着面（７）を設けていることから、上述した特許文献１と同様の課題があり、その改善が求められていた。【００１２】  さらに、特許文献３の「製本形式の簡易ファイル」は、背表紙の内面側に、帯状の着脱自在シートを設けていることから、これも上述した特許文献１と略同様の課題があり、その改善が求められていた。【００１３】  このように先行技術の先願例のコの字状の幅を持つものものでは、ファイリングする枚数の変動に対応できない場合があり、そこで従来例のその問題点として、図１０で示すように、コの字状ファイル１１で書類１２の端部を粘着部１３で粘着保持すると共に表紙間で保持したとき、該書類１２をコの字状ファイル１１の保持幅一杯に挿入すると、その両外側の書類１２ａ，１２ａが図示するように、粘着部１３に接触しないものが発生し、よってその書類１２ａ，１２ａが粘着保持されず脱落することがある。【００１４】  これはコの字状の所定の保持幅にも寄るが、中央部に位置する書類若しくは１枚２枚の数枚程度では保持されても、該保持できる所定枚数に近づくにつれ、その両端側に位置する書類１２ａ，１２ａが粘着部１３に接触せず、保持できないものが発生し、つまり、該コの字状の保持幅を有するものに、粘着保持できる枚数以上、そこに挿入できることから起こり、ファイリングする枚数の変動に��まく対応できず、挟んだ書類が粘着せず脱落することがあり、その改善が求められていた。
【課題を解決するための手段】
【００１５】  本発明は、上記課題を有効に達成するために、第１の解決手段として、略Ｃ字状の綴じ具本体であって、その綴じ具本体の該開口した部分の挿入口部に挿入誘導部を形成すると共に綴じ具本体の内側奥端に粘着力が回復する機能を有する粘着保持部を設けると共に綴じ具本体の粘着保持部を内側奥端左右にも左右端粘着保持部を設け、該左右端粘着保持部でそれぞれの保護表紙を粘着保持させることにより、
略Ｃ字状の綴じ具本体の挿入誘導部から書類を挿入口部に挿入して粘着保持部で書類を粘着保持すると共に左右端粘着保持部で保護表紙を保持させるとしている。【００１６】  また、第２の解決手段として、略Ｃ字状の綴じ具本体が、若干変形可能な硬質のプラスチックで形成され、少なくとも略Ｃ字状の略中央底部近傍に弾性変形する軟質部材のヒンジ部を設けたことで、
該略Ｃ字状の綴じ具本体を開閉可能とするとしている。【００１７】    さらに、第３の解決手段として、該綴じ具本体の外側で、該ヒンジ部左右端近傍にそれぞれ突起部を形成したことで、
該略Ｃ字状の綴じ具本体の開閉を容易にするとしている。
【発明の効果】
【００１８】  本発明は、上述したそれぞれの手段によって有効な効果が得られるようにしたもので、特に、第１の解決手段の一方側が開口した形状の端面略Ｃ字状が長手方向に連続する型材の綴じ具本体であって、その綴じ具本体の該開口部を挿入口部とすると共に該挿入口部に挿入誘導部を形成し、該略Ｃ字状の綴じ具本体の内側奥端に粘着力が回復する機能を有する粘着保持部を設けると共に該略Ｃ字状の内側左右にも左右端粘着保持部を設け、該左右端粘着保持部のそれぞれに保護表紙を粘着保持させたことによりその効果は、
従来の課題であった、コの字の保持幅の両端側に位置する書類が、保持できないものが発生することなく、また挿入誘導部から容易に書類を挿入口部に挿入できると共に該書類の端面で粘着保持し、使用している間に粘着保持部の粘着力が落ちると、水洗いすることで回復する、簡易な綴じ具を提供することができる。【００１９】  また、左右端の表紙が、左右端粘着保持部の粘着で強固に面粘着されて保持され、該左右端の表紙に挟まれた書類は、その書類の端面で粘着保持することから容易に取付、取外しができ、保護表紙により穴を開けることなく保存用の資料にも、その綴じ具として使用できる。【００２０】  その保存用は、例えば、書庫に保存する場合、書庫に出し入れするとき、該綴じ具を持って書庫から引き出すことがおおよそ考えられ、そこで綴じ具本体で書類の端面側を粘着保持しただけのときに、該綴じ具を持って書庫から引き出すと、書類が綴じ具から外れ、書庫に残るおそれがあるが、左右端の表紙を左右端粘着保持部で該綴じ具に強固に面粘着することで、書庫から引き出す程度では該書類と綴じ具本体が外れず、よって上述した表紙のその面粘着により、表紙に挟まれた書類が容易に外れず取り扱え、また書類を外す必要があるときは個々に容易に取り外すことができるので保存用にもその綴じ具として有用に使用できる。【００２１】  また、第２の解決手段の略Ｃ字状の綴じ具本体の該挿入口部が、開閉可能なように該綴じ具本体を若干変形可能な硬質のプラスチックで形成すると共に少なくとも略Ｃ字状の略中央底部近傍に弾性変形する軟質部材のヒンジ部を形成したことによりその効果は、
該略Ｃ字状の綴じ具本体が開閉可能となり、綴じる書類枚数が多くなると挿入口部を開脚させて書類を容易に挿入することができ、またその開脚する弾性力で書類を挟むように保持できるので上述で得られたように、容易に外れず、外す必要があるときは、開脚させて個々に容易に取り外すことができ、保存用にもその綴じ具として使用できる。【００２２】  また、第３の解決手段の略Ｃ字状の綴じ具本体のヒンジ部が、容易に開閉可能なように、該ヒンジ部左右端近傍の綴じ具本体の外側にそれぞれ突起部を形成したことによりその効果は、
上述、第２の解決手段と略同様の効果と、さらにつまみ用の突起部で、挿入口部の開脚を容易に開閉可能とすることができるから、さらに多くの書類枚数の挿入にも容易に開閉可能となり、書類挿入が簡便にでき、またその逆の場合も容易となる。
よって本願発明は、実用上著大な効果を奏する。
【図面の簡単な説明】
【００２３】
【図１】  本発明の綴じ具本体１の実施例の使用状態を示す要部の斜視図である。
【図２】  本発明の綴じ具本体１の平面図である。
【図３】  本発明の綴じ具本体１に保護表紙６を設けた実施例の使用状態を示す平面図である。
【図４】  本発明の綴じ具本体１ａの実施例を示す平面図である。
【図５】  本発明の綴じ具本体１ａの実施例の動きを示す平面図である。
【図６】  本発明の綴じ具本体１ａの他の実施例の要部を示す平面図である。
【図７】  本発明の綴じ具本体１ａのその他の実施例の要部を示す平面図である。
【図８】  本発明の綴じ具本体１ａのさらに他の実施例の要部を示す平面図である。
【図９】  本発明の綴じ具本体１ｂの実施例の使用状態を示す斜視図である。
【図１０】  従来例の要部を示す平面図である。
【発明を実施するための形態】
【００２４】  略Ｃ字状の綴じ具本体であって、その綴じ具本体の該開口した部分の挿入口部に挿入誘導部を形成すると共に綴じ具本体の内側奥端に粘着力が回復する機能を有する粘着保持部を設け、また内側奥端左右にも左右端粘着保持部を設けると共に該左右端粘着保持部のそれぞれに保護表紙を粘着保持させ、また略Ｃ字状の略中央底部近傍に弾性変形する軟質部材のヒンジ部を設け、該ヒンジ部左右端近傍にそれぞれつまみ開閉用の突起部を形成することで、書類の抜き差しが容易で、綴じられた書類が容易に外れず、必要なとき容易に外すことができる簡便な綴じ具の提供を実現させた。
【実施例】
【００２５】  本発明の実施例を図面に基づいて説明すると、図１において、１は綴じ具本体で、該綴じ具本体１は、パイプ状で横断面の一方が開口とした略Ｃ字状に形成され、該綴じ具本体１の該開口した部分を挿入口部２とすると共に該挿入口部２に、外開き状の傾斜を持った挿入誘導部３，３を形成し、該略Ｃ字状の綴じ具本体１の内側奥端に、水洗いをすることによって粘着力が回復する粘着保持部４を設け、またその粘着保持部４の左右に、上述と同様の粘着保持する左右端粘着保持部５，５を設け、該左右端粘着保持部５，５で、保護表紙６，６を粘着保持させる。【００２６】  そして、該図１の綴じ具本体１は、上述該保護表紙６，６で書類７（カタログ、資料、一枚から複数枚の用紙などを指す。）を挟持すると共に前記粘着保持部４で、書類７の一側面側の端面全長を粘着保持した状態で使用する実施例を示している。【００２７】  また、保護表紙６，６の粘着保持は、図２及び図３に示すように、該略Ｃ字状の綴じ具本体１の内側奥端の左右に左右端粘着保持部５，５を設けると共に該左右端粘着保持部５，５で、該保護表紙６，６の挿入する端部の面側を粘着させて、容易に外れ無いようにしている。【００２８】  而して、図４に示すように綴じ具本体１ａの挿入口部２とは反対側の底面のその左右側につまみ用の突起部８，８を形成して綴じ具本体１ａとし、該図示する該綴じ具本体１ａの突起部８，８の中間近傍に弾性変形する軟質部材のヒンジ部９を形成し、該綴じ具本体１ａと一体的にヒンジ部９を押出二色成型で形成している。【００２９】  そして、図５に示すように、突起部８，８を指で同時につまむことで、ヒンジ部９が弾性変形して挿入口部２が開口し、挿入誘導部３，３から挿入口部２へ書類７が挿入しやすくなる。【００３０】  なお、図６及び図７に示す、ヒンジ部９ａ，９ｂの実施例において、綴じ具本体１ａの図示する挿入口部２とは反対側である底面外側の略中央にヒンジ部９ａを形成し、一方、ヒンジ部９ｂは、上記ヒンジ部９ａとは逆側の底面内側からヒンジ部９ｂを形成して、ヒンジの機能と書類７を挟持する弾発力を、より高めた保持機能を得るようにしている。【００３１】  また、上述ヒンジ部９ａ，９ｂのヒンジの機能と書類７の保持機能を高めるようにしている実施例に対して、図８では、突起部８ａ，８ａの基部とその接する綴じ具本体１ａの底面部分を比較的薄く形成して、弾性変形可能な変形部１０，１０として形成した実施例を示し、上述ヒンジの機能と書類７を挟持する弾発力を、より高めた保持機能を得るようにしたものと略同様な機能が得られる。【００３２】さらに、他の実施例として図９に示すように、数枚の書類７を簡易に綴じて使用する綴じ具１ｂとして使用する実施例を示し、該綴じ具本体１ｂは、短寸に形成した該綴じ具本体１ｂとすると共に上記綴じ具本体１に設けられている左右端粘着保持部５，５を設けず、粘着保持部４で書類７を保持することで、一時的に使い回しする綴じ具１ｂとして使用し、その使用している間に粘着保持部４の粘着力が落ちると、水洗いすることで回復させる。【００３３】そして、綴じ具本体１ｂは、書類７などを粘着保持部４だけで粘着保持しても、略Ｃ字状で挿入口部２が狭く規制されて���る形状から、その挿入口部２が書類７を規制し、従来のように粘着保持された部分で書類７が大きく振れることがないので、比較的外れにくく粘着保持できる。【００３４】その一時的に使い回しする綴じ具本体１ｂは、従来のようにステープラーのように書類７に穴を開けることなく使用でき、コピー機で裏コピーするなど再使用するとき、また破棄する場合のシュレッダーに掛けるときも手間無く、容易に綴じ具を取り外せるので、従来のようなステープラーを取り外す手間と、また綴じ具本体１ｂが使い回しできることでコストが掛からず、簡易に使用できる。
【産業上の利用可能性】
【００３５】  本発明のファイリング用粘着綴じ具は、書類などの綴じ具として、簡易で使い回しができ、また一時使用又は保存用に使い分けて利用することができる。
【符号の説明】
【００３６】    １，１ａ，１ｂ  綴じ具本体
２  挿入口部
３  挿入誘導部
４  粘着保持部
５  左右端粘着保持部
６  保護表紙
８，８ａ  突起部
９，９ａ，９ｂ  ヒンジ部
１０  変形部。
【図１】
0005408047.tif 000002
【図２】
0005408047.tif 000003
【図３】
0005408047.tif 000004
【図４】
0005408047.tif 000005
【図５】
0005408047.tif 000006
【図６】
0005408047.tif 000007
【図７】
0005408047.tif 000008
【図８】
0005408047.tif 000009
【図９】
0005408047.tif 000010
【図１０】
0005408047.tif 000011